(57)【要約】【課題】正確なセル電圧測定値を用いた組電池の管理制御を実現する。【解決手段】電池システムを監視および制御する電池システム監視装置１０は、セルグループ１２０ごとに設けられた電池監視回路１００を備えている。各電池監視回路１００は、対応するセルグループ１２０の各単電池セル１１０の両極に電圧検出線２を介して接続され、各単電池セル１１０のセル電圧を所定のタイミングごとに測定するセル電圧測定部６を有している。電圧検出線２には、抵抗およびコンデンサを有するＲＣフィルタ４が接続されている。セル電圧測定部６は、ＲＣフィルタ４のコンデンサの蓄積電荷量が変化するときに、セル電圧の測定間隔を長くする。【選択図】図２
2019169471.tif 000002
【特許請求の範囲】
【請求項１】
複数の単電池セルを直列接続したセルグループを複数個備えた電池システムを監視および制御するための電池システム監視装置であって、
前記セルグループごとに設けられた複数の電池監視回路を備え、
前記電池監視回路は、対応するセルグループの各単電池セルの両極に電圧検出線を介して接続され、各単電池セルのセル電圧を所定のタイミングごとに測定するセル電圧測定部を有し、
前記電圧検出線には、抵抗およびコンデンサを有するフィルタ回路が接続されており、
前記セル電圧測定部は、前記フィルタ回路のコンデンサの蓄積電荷量が変化するときに、前記セル電圧の測定間隔を長くする電池システム監視装置。
【請求項２】
請求項１に記載の電池システム監視装置において、
前記電圧検出線および前記フィルタ回路と電気的に接続され、前記電池監視回路に対応するセルグループの各単電池セルを放電させるためのバランシング抵抗をさらに備え、
前記電池監視回路は、対応するセルグループの各単電池セルから前記バランシング抵抗を介して流れる放電電流の状態を切り替える放電スイッチと、前記放電スイッチを制御するバランシング制御部と、を有し、
前記セル電圧測定部は、前記放電スイッチにより前記放電電流の状態を切り替えることで前記フィルタ回路のコンデンサの蓄積電荷量が変化するときに、前記セル電圧の測定間隔を長くする電池システム監視装置。
【請求項３】
請求項１に記載の電池システム監視装置において、
前記電池監視回路は、前記セル電圧測定部を診断するために、対応するセルグループの各単電池セルの両極に接続された前記電圧検出線間の接続状態を切り替える診断スイッチと、前記診断スイッチを制御する診断制御部と、を有し、
前記セル電圧測定部は、前記診断スイッチにより前記電圧検出線間の接続状態を切り替えることで前記フィルタ回路のコンデンサの蓄積電荷量が変化するときに、前記セル電圧の測定間隔を長くする電池システム監視装置。
【請求項４】
請求項１乃至３のいずれか一項に記載の電池システム監視装置において、
前記セル電圧測定部は、前記フィルタ回路のコンデンサの蓄積電荷量が変化するときの前記セル電圧の測定タイミングを遅らせるように変更することで、前記セル電圧の測定間隔を長くする電池システム監視装置。
【請求項５】
請求項１乃至３のいずれか一項に記載の電池システム監視装置において、
前記セル電圧測定部は、前記フィルタ回路のコンデンサの蓄積電荷量が変化するときの前記セル電圧の測定結果を無効化することで、前記セル電圧の測定間隔を長くする電池システム監視装置。
【請求項６】
請求項２に記載の電池システム監視装置において、
前記バランシング制御部は、前記セル電圧測定部が前記セル電圧を測定した後に前記放電電流の状態が切り替えられるように、前記放電スイッチを制御する電池システム監視装置。
【請求項７】
請求項４に記載の電池システム監視装置において、
前記セル電圧測定部は、前記セル電圧の測定タイミングを遅らせた後、前記セル電圧の測定間隔が元の測定間隔となるまで、前記セル電圧の測定タイミングを段階的に早める電池システム監視装置。
【発明の詳細な説明】
【技術分野】
【０００１】
本発明は、電池システムを監視する装置に関する。
【背景技術】
【０００２】
ハイブリッド自動車（ＨＥＶ）や電気自動車（ＥＶ）などでは、所望の高電圧を確保するため、二次電池の単電池セルを多数直列接続して構成される組電池（電池システム）が一般的に用いられている。従来、このような組電池には、所定数の単電池セルごとに、集積回路等を用いた電池監視回路が接続されている。この電池監視回路により、各単電池セルの端子間電圧（セル電圧）の測定や、各単電池セルの残存容量を均等化するためのバランシング放電などを行うことで、各単電池セルの状態を監視および管理している。バランシング中には、各単電池セルが残存容量に応じて放電され、各単電池セルと電池監視回路の間に設けられた電圧検出線を介して、バランシング抵抗に放電電流が流れる。このとき、電圧検出線において、そのインピーダンスの大きさに応じた電圧降下が生じる。
【０００３】
近年では、残存容量の変化に対する電圧変動が従来よりも小さな単電池セルが実用化されている。こうした単電池セルを用いた場合、セル電圧を測定して残存容量を正確に推定するためには、従来よりも高い測定精度が要求される。そのため、バランシング中のセル電圧の測定では、上記のような電圧検出線における電圧降下の影響が無視できなくなっている。そこで、電圧検出線における電圧降下分を補正することで、正確にセル電圧を測定する方法が提案されている（特許文献１参照）。
【先行技術文献】
【特許文献】
【０００４】
【特許文献１】特開２０１１−７５５０４号公報
【発明の概要】
【発明が解決しようとする課題】
【０００５】
一般的な組電池では、ノイズや電圧変動等によって生じるエリアシング誤差を抑制するために、単電池セルと電池監視回路の間にＲＣフィルタが挿入されている。したがって、バランシングを開始または停止すると、それに伴って、ＲＣフィルタの時定数に応じた過渡応答がセル電圧において発生する。しかし、特許文献１に記載の方法では、バランシングを開始して過渡応答を経過した後に安定状態となったときのセル電圧を正確に測定することはできるが、過渡応答の期間内におけるセル電圧については正確に測定することができない。そのため、正確なセル電圧測定値を用いた組電池の管理制御を実現するのは困難である。
【課題を解決するための手段】
【０００６】
本発明による電池システム監視装置は、複数の単電池セルを直列接続したセルグループを複数個備えた電池システムを監視および制御するためのものであって、前記セルグループごとに設けられた複数の電池監視回路を備え、前記電池監視回路は、対応するセルグループの各単電池セルの両極に電圧検出線を介して接続され、各単電池セルのセル電圧を所定のタイミングごとに測定するセル電圧測定部を有し、前記電圧検出線には、抵抗およびコンデンサを有するフィルタ回路が接続されており、前記セル電圧測定部は、前記フィルタ回路のコンデンサの蓄積電荷量が変化するときに、前記セル電圧の測定間隔を長くするものである。
【発明の効果】
【０００７】
本発明によれば、正確なセル電圧測定値を用いた組電池の管理制御を実現できる。
【図面の簡単な説明】
【０００８】
【図１】本発明の一実施形態による電池システム監視装置の構成を示す図である。
【図２】本発明の第１の実施形態におけるセルグループと電池監視回路の間の接続回路の詳細を示した図である。
【図３】セル電圧の測定タイミングと、バランシング電流およびセル電圧の変化の様子の一例を示した図である。
【図４】セル電圧の補正結果の例を示す図である。
【図５】ＲＣフィルタの時定数のばらつきの影響によるセル電圧の補正誤差の一例を示す特性線図である。
【図６】本発明でのセル電圧測定タイミングと、バランシング制御タイミングの一例を示した図である。
【図７】本発明の第２の実施形態におけるセルグループと電池監視回路の間の接続回路の詳細を示した図である。
【発明を実施するための形態】
【０００９】
以下、図面を参照して本発明の一実施形態について説明する。以下の実施形態では、ハイブリッド自動車（ＨＥＶ）などに用いられる電池システムを監視する電池システム監視装置に対して、本発明を適用した場合の例を説明する。なお、本発明による電池システム監視装置の適用範囲は、ＨＥＶに搭載される電池システムを監視するものに限らない。たとえば、プラグインハイブリッド自動車（ＰＨＥＶ）や電気自動車（ＥＶ）、鉄道車両などに搭載される電池システムを監視する装置に対しても、幅広く適用可能である。
【００１０】
以下の実施形態では、本発明に係る電池システム監視装置が制御および監視の対象とする電池システムの最小単位として、所定の出力電圧範囲、たとえば３．０〜４．２Ｖ（平均出力電圧：３．６Ｖ）の出力電圧範囲を有するリチウムイオン電池を想定している。しかし、本発明に係る電池システム監視装置は、リチウムイオン電池以外の蓄電・放電デバイスを用いて構成された電池システムを制御および監視の対象としてもよい。すなわち、ＳＯＣ（State Of Charge）が高すぎる場合（過充電）や低すぎる場合（過放電）にその使用を制限する必要があれば、どのような蓄電・放電デバイスを用いて電池システムを構成してもよい。以下の説明では、こうした電池システムの構成要素としての蓄電・放電デバイスを、単電池セルと総称する。
【００１１】
以下に説明する実施形態では、単電池セルを複数個（概ね数個から十数個）直列に接続したものをセルグループと呼び、このセルグループを複数個直列に接続したものを電池システムと呼んでいる。また、これらを合わせて組電池と呼ぶこともある。
【００１２】
−第１の実施形態−
図１は、本発明の一実施形態による電池システム監視装置１０の構成を示す図である。電池システム監視装置１０は、バッテリコントローラ２００と、所定の通信順位に従って相互に接続された複数の電池監視回路１００とを有している。電池システム監視装置１０は、車両コントローラ４００、モータコントローラ３００、電池システム１３０、インバータ３４０、モータ３５０などと共に、電気自動車やハイブリッド自動車などの電動車両に搭載される。
【００１３】
電池システム１３０は、複数のセルグループ１２０を直列に接続したものである。各セルグループ１２０は、単電池セル１１０（以下、単にセルともいう）が複数個直列に接続されて構成されている。各セル１１０には、たとえばリチウムイオン電池等の二次電池が用いられる。
【００１４】
電池システム監視装置１０において、バッテリコントローラ２００と各電池監視回路１００との間には、ループ状の通信回路が設けられている。バッテリコントローラ２００は、通信順位で最上位の電池監視回路１００に対して、絶縁素子２０１を介して通信信号を送信する。この通信信号を受けた最上位の電池監視回路１００は、通信順位で１つ下位の電池監視回路１００へ通信信号を転送する。こうした動作が各電池監視回路１００において順次行われることで、最上位の電池監視回路１００から最下位の電池監視回路１００まで順に、直列に通信信号が伝送される。通信順位で最下位の電池監視回路１００は、バッテリコントローラ２００へ絶縁素子２０２を介して通信信号を送信する。このようにして、バッテリコントローラ２００と各電池監視回路１００との間で、ループ状の通信回路を介した通信信号の授受が行われる。
【００１５】
車両コントローラ４００は、電動車両の運転者が操作するアクセルペダルやブレーキペダル、あるいは変速レバーなどの車両運転操作装置（不図示）からの操作信号に基づいて、車両の走行速度や制駆動力などを制御する。モータコントローラ３００は、車両コントローラ４００からの速度指令や制駆動力指令に基づいてバッテリコントローラ２００およびインバータ３４０を制御し、モータ３５０の回転速度およびトルクを制御する。
【００１６】
バッテリコントローラ２００は、電圧センサ２１０、電流センサ２２０および温度センサ２３０によりそれぞれ検出された電池システム１３０の電圧、電流、温度に基づいて、電池システム１３０の充放電およびＳＯＣ（State Of Charge）を制御する。バッテリコントローラ２００は、各電池監視回路１００との間で前述のようにして通信信号の授受を行うことにより、各電池監視回路１００の動作を制御して、電池システム１３０において各セルグループ１２０を構成する複数のセル１１０のＳＯＣを推定する。この推定結果に基づいて、各セル１１０のＳＯＣが不均一とならないように、各セル１１０間のＳＯＣのばらつきを補正するための放電（以下、バランシング放電という）を行う。このようにして、電池システム監視装置１０は電池システム１３０を監視および制御する。
【００１７】
上記のようにして各電池監視回路１００との間で通信信号の授受を行う場合、バッテリコントローラ２００は、その前に各電池監視回路１００に対して不図示の起動信号を出力することで、各電池監視回路１００を起動させる。この起動信号の出力は、通信信号とは異なる信号経路を介して行われる。そして、各電池監視回路１００が起動したことを確認したら、通信信号の送信を開始する。
【００１８】
なお、図１では、電池システム１３０として、４個のセル１１０が直列に接続されているセルグループ１２０を複数個直列接続した組電池を例示している。しかし、セルグループ１２０を構成するセル１１０の数はこれに限らず、４個未満や４個以上であってもよい。電気自動車やハイブリッド自動車などの電動車両には、多くのセルあるいはセルグループが直並列に接続され、その両端電圧が数１００Ｖ程度の高圧、高容量の電池モジュールが一般に用いられる。このような高圧、高容量の電池モジュールに対しても、本発明を適用することができる。
【００１９】
電池監視回路１００は、電池システム１３０を構成する複数のセル１１０を所定個数（図１では４個）ごとにグループ分けした各セルグループ１２０ごとに設けられる。たとえば、電池システム１３０において１００個のセル１１０が直列に接続されており、これを４個ずつグループ分けした場合、電池システム１３０内に２５組のセルグループ１２０が設けられ、それに応じて、２５個の電池監視回路１００が電池システム監視装置１０内に配置される。
【００２０】
各電池監視回路１００は、対応するセルグループ１２０を構成するセル１１０ごとに、正極と負極の各端子間電圧を検出することでセル電圧を測定し、バッテリコントローラ２００へ送信する。バッテリコントローラ２００は、各電池監視回路１００から送信された各セル１１０のセル電圧の測定結果に基づいて、各セル１１０のＳＯＣを推定し、各電池監視回路１００へバランシング指令を出力する。各電池監視回路１００は、バッテリコントローラ２００からのバランシング指令にしたがって、セル１１０ごとにバランシング電流の通電制御を行う。各電池監視回路１００と対応するセルグループ１２０の間には、バランシング電流を制限決定するためのバランシング抵抗１０２がセル１１０ごとに設けられている。
【００２１】
車両の駆動時には、電池システム１３０に充電された直流電力が、正極側コンタクタ３１０および負極側コンタクタ３２０を介して、平滑コンデンサ３３０およびインバータ３４０へ供給される。インバータ３４０は、電池システム１３０から供給された直流電力を交流電力に変換してモータ３５０に印加する。この交流電力を用いて、モータ３５０の駆動が行われる。インバータ３４０には、不図示のスイッチング素子が設けられており、これをスイッチングさせることで直流電力から交流電力への変換が行われる。一方、車両の制動時には、モータ３５０により発電された交流電力が、インバータ３４０に備えられたダイオード素子（不図示）と平滑コンデンサ３３０により直流電力に変換される。この直流電力は、正極側コンタクタ３１０および負極側コンタクタ３２０を介して電池システム１３０に印加され、電池システム１３０の充電が行われる。このようにして、電池システム１３０とインバータ３４０との間で直流電力の授受が行われる。
【００２２】
なお、インバータ３４０の動作に伴ってリプルノイズ及びスイッチングノイズが発生する。これらのノイズは、平滑コンデンサ３３０によってある程度低減されるが、完全には除去しきれず電池システム１３０に流れ込み、ノイズ電流を発生する。このノイズ電流に比例して、電池システム１３０において各セル１１０の端子間電圧にノイズ電圧が重畳する。このノイズはセル電圧の検出誤差となるため、後述する図２において示すＲＣフィルタ４を用いて、電池監視回路１００への入力が抑制される。
【００２３】
次に、図１の電池システム監視装置１０におけるセルグループ１２０と電池監視回路１００の間の接続回路の詳細について説明する。図２は、本発明の第１の実施形態におけるセルグループ１２０と電池監視回路１００の間の接続回路の詳細を示した図である。図１において対応関係に配置された各セルグループ１２０と各電池監視回路１００は、図２に示すような接続回路を介して互いに接続されている。なお、図２では、セルグループ１２０を構成する６個のセル１１０をセル１１０ａ〜１１０ｆとして表している。しかし、セルグループ１２０を構成するセル１１０の数はこれに限らない。たとえば、図１のように、４個のセル１１０を直列に接続してもよい。
【００２４】
電池システム監視装置１０の外側では、セルグループ１２０のセル１１０ａ〜１１０ｆと電池監視回路１００の間に、抵抗成分３を有する電圧検出線２がそれぞれ接続されている。また、電池システム監視装置１０の内側では、セル１１０ａ〜１１０ｆと電池監視回路１００の間に、バランシング抵抗１０２およびＲＣフィルタ４がそれぞれ接続されている。ＲＣフィルタ４は、前述のようにセル電圧の測定誤差となるノイズを抑制するためのものであり、抵抗とコンデンサを用いて構成されている。
【００２５】
電池監視回路１００は、セル電圧測定部６、バランシング制御部７および放電スイッチ８を機能的に有する。セル電圧測定部６は、電圧検出線２およびＲＣフィルタ４を介して入力されるセル１１０ａ〜セル１１０ｆの各セル電圧を所定のタイミングごとに測定する。セル電圧測定部６により測定されたセル電圧は、前述の通信信号により、バッテリコントローラ２００へ送信される。
【００２６】
放電スイッチ８は、セル１１０ａ〜１１０ｆに対してそれぞれ設けられている。図２では、セル１１０ａ〜１１０ｆと対応付けて、各放電スイッチ８を符号８ａ〜８ｆで表している。バランシング制御部７は、バッテリコントローラ２００からの指示に応じて、放電スイッチ８ａ〜８ｆの開閉状態をそれぞれ切り替える。このように、バランシング制御部７によって放電スイッチ８ａ〜８ｆの開閉状態が切り替えられることで、セル１１０ａ〜１１０ｆからバランシング抵抗１０２を介して流れる放電電流の状態が切り替えられ、セル１１０ａ〜１１０ｆのバランシング放電が行われる。
【００２７】
次に、セル電圧測定部６によるセル電圧の測定方法について説明する。図３は、セル電圧測定部６によるセル電圧の測定タイミングと、バランシング電流およびセル電圧の変化の様子の一例を示した図である。図３において、上側に実線で示した波形３１は上位側セルのセル電圧を表し、破線で示した波形３２は下位側セルのセル電圧を表している。また、下側に実線で示した波形３３は、上位側セルからバランシング抵抗１０２を介して流れるバランシング電流を示し、破線で示した波形３４は、下位側セルからバランシング抵抗１０２を介して流れるバランシング電流を示している。残りの波形３５は、セル電圧の測定タイミングを示している。なお、上位側セルとは、セルグループ１２０において高電圧側から数えたときに奇数番目に当たるセル１１０のことであり、図２ではセル１１０ａ、１１０ｃおよび１１０ｅが該当する。一方、下位側セルとは、セルグループ１２０において高電圧側から数えたときに偶数番目に当たるセル１１０のことであり、図２ではセル１１０ｂ、１１０ｄおよび１１０ｆが該当する。
【００２８】
図３において、左側の縦軸の値は、上記の波形３１、３２がそれぞれ示すセル電圧値を表している。一方、右側の縦軸の値は、波形３３、３４がそれぞれ示すバランシング電流値を示している。また、横軸の値は時間を示しており、これは波形３１〜３５に対して共通に用いられる。
【００２９】
セル電圧測定部６は、波形３５に示すように、セル１１０ａ〜１１０ｆの各セル電圧を０．０２秒ごとに測定する。バランシング制御部７は、このセル電圧の測定タイミングに同期したタイミングで、放電スイッチ８ａ〜８ｆを制御する。
【００３０】
時刻０において電池監視回路１００の動作が開始されると、バランシング制御部７は、０．０２秒後に行われるセル電圧測定の直後に、上位側セルに対応する放電スイッチ８ａ、８ｃおよび８ｅを短時間だけ閉じる。その後、次のセル電圧の測定タイミングの直後に、下位側セルに対応する放電スイッチ８ｂ、８ｄおよび８ｆを短時間だけ閉じる。このとき、波形３３および３４に示すように、上位側セルと下位側セルにおいて、交互にそれぞれバランシング電流が流れる。このバランシング電流を検出することで、電池監視回路１００において電圧検出線２の断線検知を行うことができる。
【００３１】
続いてバランシング制御部７は、上位側セルに対応する放電スイッチ８ａ、８ｃおよび８ｅのうち、バランシング対象とするセルに対応する放電スイッチを制御して閉状態に切り替える。これにより、上位側セルであるセル１１０ａ、１１０ｃおよび１１０ｅのうち、バランシング対象セルの正極と負極の間がバランシング抵抗１０２を介して接続され、波形３３に示すように、当該セルが放電されてバランシング電流が流れる。
【００３２】
上位側セルのバランシング放電が終了したら、電池監視回路１００において、電圧検出線２の断線検知が再び行われる。このときバランシング制御部７は、前述のように、上位側セルに対応する放電スイッチ８ａ、８ｃおよび８ｅと、下位側セルに対応する放電スイッチ８ｂ、８ｄおよび８ｆとを、短時間だけ交互に閉じる。その後バランシング制御部７は、下位側セルに対応する放電スイッチ８ｂ、８ｄおよび８ｆに対して、上位側セルに対応する放電スイッチ８ａ、８ｃおよび８ｅと同様の制御を行う。すなわち、下位側セルに対応する放電スイッチ８ｂ、８ｄおよび８ｆのうち、バランシング対象とするセルに対応する放電スイッチを制御して閉状態に切り替える。これにより、下位側セルであるセル１１０ｂ、１１０ｄおよび１１０ｆのうち、バランシング対象セルの正極と負極の間がバランシング抵抗１０２を介して接続され、波形３４に示すように、当該セルが放電されてバランシング電流が流れる。
【００３３】
以上説明したようなタイミングで放電スイッチ８ａ〜８ｆの切り替えを行うと、上位側セルおよび下位側セルのセル電圧は、波形３１、３２に示すようにそれぞれ変化する。すなわち、電圧検出線２の断線検知を行うために、最初に上位側セルに対応する放電スイッチ８ａ、８ｃおよび８ｅを短時間だけ閉じてセル１１０ａ、１１０ｃおよび１１０ｅにバランシング電流を流すと、それに応じて上位側セルのセル電圧が低下し、下位側セルのセル電圧が上昇する。これらの放電スイッチを開状態に戻すと、バランシング電流は０となり、上位側セルおよび下位側セルのセル電圧が元のレベルに向かってそれぞれ変化する。続いて、下位側セルに対応する放電スイッチ８ｂ、８ｄおよび８ｆを短時間だけ閉じてセル１１０ｂ、１１０ｄおよび１１０ｆにバランシング電流を流すと、それに応じて下位側セルのセル電圧が低下し、上位側セルのセル電圧が上昇する。これらの放電スイッチを開状態に戻すと、バランシング電流は０となり、上位側セルおよび下位側セルのセル電圧が元のレベルに向かってそれぞれ変化する。
【００３４】
電圧検出線２の断線検知後に、上位側セルまたは下位側セルのバランシング放電が行われる。上位側セルのバランシング放電では、放電スイッチ８ａ、８ｃまたは８ｅを閉じることでバランシング対象とするセルを放電させてバランシング電流を流すと、それに応じて上位側セルのセル電圧が低下し、下位側セルのセル電圧が上昇する。バランシング電流が流れ始めてから所定時間が経過すると、これらのセル電圧は一定のレベルに安定する。その後、当該放電スイッチを開状態に戻すと、バランシング電流が遮断され、上位側セルおよび下位側セルのセル電圧は元のレベルに向かってそれぞれ変化する。
【００３５】
一方、下位側セルのバランシング放電では、放電スイッチ８ｂ、８ｄまたは８ｆを閉じることでバランシング対象とするセルを放電させてバランシング電流を流すと、それに応じて下位側セルのセル電圧が低下し、上位側セルのセル電圧が上昇する。バランシング電流が流れ始めてから所定時間が経過すると、これらのセル電圧は一定のレベルに安定する。その後、当該放電スイッチを開状態に戻すと、バランシング電流が遮断され、上位側セルおよび下位側セルのセル電圧は元のレベルに向かってそれぞれ変化する。
【００３６】
上記のように、放電スイッチ８ａ〜８ｆを開状態から閉状態に、または閉状態から開状態に切り替えると、その後の一定期間、セル電圧が過渡的に変動する。このようにセル電圧が過渡的に変動する期間を、以下では過渡応答期間と称する。図３の例では、図中に示した期間が過渡応答期間に相当する。この期間は、電圧検出線２の断線検知を行うために、上位側セルに対応する放電スイッチ８ａ、８ｃおよび８ｅを開状態から閉状態に切り替えてから、上位側セルまたは下位側セルのバランシング放電中にセル電圧が安定するまでの期間である。この過渡応答期間の長さは、ＲＣフィルタ４の時定数に応じて定まる。
【００３７】
本実施形態の電池システム監視装置１０では、こうした過渡応答期間におけるセル電圧の変動を考慮して、セル電圧測定部６においてセル電圧の測定結果を補正するようにしている。この点について、以下に詳しく説明する。
【００３８】
図４は、セル電圧の補正結果の例を示す図である。図４において、符号４１に示す点に代表される各点は、補正前のセル電圧の測定値をそれぞれ表している。この補正前のセル電圧の測定値は、図２に示した抵抗成分３をバランシング電流が流れることで生じた電圧降下分による誤差を含んでいるため、上下にばらついている。これに対して、符号４２に示す破線は、従来の補正方法による補正後のセル電圧を表している。この補正後のセル電圧は、補正前のセル電圧の測定値から抵抗成分３の電圧降下分を補正することで求められる。このように、抵抗成分３による電圧降下分を補正することで、セル電圧の測定値に含まれる誤差を低減することができる。
【００３９】
一方、符号４３に示す実線は、本実施形態の電池システム監視装置１０において求められた補正後のセル電圧を表している。電池システム監視装置１０は、電池監視回路１００のセル電圧測定部６により、各セル１１０のセル電圧の測定値に対して、抵抗成分３の電圧降下分を補正する。このとき、過渡応答期間内に測定されたセル電圧については、図３に示したようなセル電圧の変動を考慮した補正値を用いるようにする。これにより、セル電圧の測定値に含まれる誤差を従来の補正方法よりもさらに低減することができる。
【００４０】
しかしながら、ＲＣフィルタ４の時定数にばらつきがあると、過度応答期間内に測定されるセル電圧は、ＲＣフィルタ４の時定数のばらつきの影響を受けて変動する。そのため、上記のようにセル電圧を補正した場合に、正確なセル電圧の補正値を求めるのが困難となる。
【００４１】
図５は、ＲＣフィルタ４の時定数のばらつきの影響によるセル電圧の補正誤差の一例を示す特性線図である。図５において、線図５１は、ＲＣフィルタ４の時定数がプラス側にばらついた場合のバランシング電流の切替からセル電圧測定までの時間とセル電圧の補正誤差の最悪値との関係を示している。また、線図５２は、ＲＣフィルタ４の時定数がマイナス側にばらついた場合のバランシング電流の切替からセル電圧測定までの時間とセル電圧の補正誤差の最悪値との関係を示している。なお、図５では、ＲＣフィルタ４の時定数が１０ｍｓ±５ｍｓの範囲でばらついた場合の例を示している。図５に示すように、バランシング電流の切替から約１０ｍｓ経過後にセル電圧を測定すると、約＋４．５ｍＶ〜−１ｍＶの範囲でセル電圧の補正誤差が生じることが分かる。
【００４２】
そこで、本実施形態の電池システム監視装置１０では、セル電圧の補正誤差が大きくなるバランシング電流の切替から一定時間内では、セル電圧の測定を行わないように、セル電圧の測定タイミングを変更する。その具体的な方法について以下に説明する。
【００４３】
図６は、本発明の一実施形態におけるセル電圧測定タイミングとバランシン制御タイミングとの関係の一例を示す図である。バランシング制御部７は、前述のようにして放電スイッチ８ａ〜８ｆを制御することで、図６（ａ）、（ｂ）に示すタイミングで電圧検出線２の断線診断とバランシング放電を行う。一方、セル電圧測定部６は、２０ｍｓごとに各セル１１０のセル電圧の測定を行う。このときセル電圧測定部６は、図６（ａ）、図６（ｂ）のいずれかに示すような方法により、バランシング電流の切替から一定時間内においてセル電圧の測定タイミングを変更する。
【００４４】
図６（ａ）は、セル電圧の測定タイミングを遅延させる場合の例を示している。セル電圧測定部６は、たとえば図６（ａ）に示すように、符号６１に示す断線診断開始時のセル電圧測定と、符号６２に示すバランシング放電開始時のセル電圧測定とを、それぞれ所定の遅延時間だけ遅延させる。その結果、断線診断を開始した直後のセル電圧測定タイミングは、符号６１に示す元の測定タイミングから、符号６１ａに示す遅延後の測定タイミングへと変化する。また、バランシング放電を開始した直後のセル電圧測定タイミングは、符号６２に示す元の測定タイミングから、符号６２ａに示す遅延後の測定タイミングへと変化する。
【００４５】
上記のようにして、セル電圧測定部６は、放電スイッチ８ａ〜８ｆにより放電電流の状態を切り替えることでＲＣフィルタ４のコンデンサの蓄積電荷量が変化する過渡応答期間内では、セル電圧の測定タイミングを遅らせるように変更して、セル電圧の測定間隔を長くする。これにより、過渡応答期間において、セル電圧の補正誤差が大きくなるタイミングではセル電圧の測定が行われないようにして、補正誤差を低減することができる。さらに、こうして得られた正確なセル電圧測定値を用いることで、電池監視回路１００は、対応するセルグループ１２０の監視および制御を適切に行うことができる。
【００４６】
図６（ｂ）は、セル電圧の測定値を無効化する場合の例を示している。セル電圧測定部６は、たとえば図６（ｂ）に示すように、符号６１に示す断線診断開始時のセル電圧測定と、符号６２に示すバランシング放電開始時のセル電圧測定とを、それぞれ無効化する。このとき、セル電圧の測定をスキップ、すなわち測定自体を行わないことで、セル電圧測定を無効化してもよい。または、得られたセル電圧測定値を非有効として以降の処理で使用しないようにすることで、セル電圧測定を無効化してもよい。その結果、断線診断を開始した直後のセル電圧測定タイミングは、符号６１に示す元の測定タイミングから、符号６１ｂに示す次の測定タイミングへと変化する。また、バランシング放電を開始した直後のセル電圧測定タイミングは、符号６２に示す元の測定タイミングから、符号６２ｂに示す次の測定タイミングへと変化する。
【００４７】
上記のようにして、セル電圧測定部６は、放電スイッチ８ａ〜８ｆにより放電電流の状態を切り替えることでＲＣフィルタ４のコンデンサの蓄積電荷量が変化する過渡応答期間内では、セル電圧の測定結果を無効化して、セル電圧の測定間隔を長くする。これにより、過渡応答期間において、セル電圧の補正誤差が大きくなるタイミングではセル電圧の測定が行われないようにして、補正誤差を低減することができる。さらに、こうして得られた正確なセル電圧測定値を用いることで、電池監視回路１００は、対応するセルグループ１２０の監視および制御を適切に行うことができる。
【００４８】
なお、セル電圧測定部６は、たとえば電池監視回路１００が有する不図示のメモリに記憶されたプログラムを実行することで、所定の測定タイミングごとにセル電圧の測定を行うことができる。以上説明したようなセル電圧の測定タイミングの変更は、このプログラム上の設定により実現できる。たとえば、測定回数をカウントすることで過渡応答期間に対応する測定タイミングを特定し、当該測定タイミングでは、予め設定された遅延時間を通常の測定タイミングに加えてセル電圧の測定を行う。これにより、図６（ａ）に示したように、過渡応答期間におけるセル電圧の測定タイミングを遅らせることができる。または、当該測定タイミングで測定されたセル電圧に所定の無効化フラグを付して出力する。これにより、図６（ｂ）に示したように、過渡応答期間におけるセル電圧の測定結果を無効化することができる。これ以外にも、たとえば論理回路を用いるなどの任意の方法により、セル電圧の測定タイミングを変更することができる。
【００４９】
以上説明した本発明の第１の実施形態によれば、次の作用効果を奏する。
【００５０】
（１）電池システム１３０は、複数の単電池セル１１０を直列接続したセルグループ１２０を複数個備えており、この電池システム１３０を監視および制御する電池システム監視装置１０は、セルグループ１２０ごとに設けられた電池監視回路１００を備えている。各電池監視回路１００は、対応するセルグループ１２０の各単電池セル１１０の両極に電圧検出線２を介して接続され、各単電池セル１１０のセル電圧を所定のタイミングごとに測定するセル電圧測定部６を有している。電圧検出線２には、抵抗およびコンデンサを有するＲＣフィルタ４が接続されている。セル電圧測定部６は、ＲＣフィルタ４のコンデンサの蓄積電荷量が変化するときに、セル電圧の測定間隔を長くする。このようにしたので、電池システム監視装置１０において、正確なセル電圧測定値を用いた電池システム１３０の管理制御を実現できる。
【００５１】
（２）電池システム監視装置１０は、電圧検出線２およびＲＣフィルタ４と電気的に接続され、電池監視回路１００に対応するセルグループ１２０の各単電池セル１１０を放電させるためのバランシング抵抗１０２をさらに備える。電池監視回路１００は、対応するセルグループ１２０の各単電池セル１１０からバランシング抵抗１０２を介して流れる放電電流の状態を切り替える放電スイッチ８と、放電スイッチ８を制御するバランシング制御部７とを有する。セル電圧測定部６は、放電スイッチ８により放電電流の状態を切り替えることでＲＣフィルタ４のコンデンサの蓄積電荷量が変化するときに、セル電圧の測定間隔を長くする。具体的には、セル電圧測定部６は、たとえば図６（ａ）に示すように、ＲＣフィルタ４のコンデンサの蓄積電荷量が変化するときのセル電圧の測定タイミングを遅らせるように変更することで、セル電圧の測定間隔を長くする。また、セル電圧測定部６は、たとえば図６（ｂ）に示すように、ＲＣフィルタ４のコンデンサの蓄積電荷量が変化するときのセル電圧の測定結果を無効化することで、セル電圧の測定間隔を長くする。このようにしたので、一定の間隔でセル電圧の測定を行っているときに、任意のタイミングでセル電圧の測定期間を長くすることができる。
【００５２】
なお、以上説明したようにしてセル電圧測定部６がセル電圧の測定タイミングを変更する際に、セル電圧測定からバランシング電流の切替までの時間が短い場合には、セル電圧の測定後にバランシング電流が切り替えられるようにしてもよい。すなわち、バランシング制御部７は、セル電圧測定部６がセル電圧を測定した後に放電電流の状態が切り替えられるように、放電スイッチ８を制御してもよい。このようにすれば、過渡応答期間内でのセル電圧の変動を避けて、セル電圧を正確に測定することができる。
【００５３】
また、図６（ａ）に示すようにセル電圧の測定タイミングを遅らせた場合、セル電圧測定部６は、セル電圧の測定タイミングを遅らせた後に、セル電圧の測定間隔が元の測定間隔となるまで、セル電圧の測定タイミングを段階的に早めるようにしてもよい。たとえば、セル電圧の測定タイミングを１５ｍｓ遅らせた後には、その次のセル電圧の測定タイミングを１０ｍｓ遅らせ、さらにその次のセル電圧の測定タイミングを５ｍｓ遅らせることで、元の測定間隔まで５ｍｓずつ段階的にセル電圧の測定タイミングを早める。このようにすれば、セル電圧の測定タイミングを遅らせた場合でも、その後の測定タイミングの急変動を抑えて、電池システム１３０の管理制御に及ぼす悪影響を軽減することができる。
【００５４】
−第２の実施形態−
次に本発明の第２の実施形態について説明する。前述の第１の実施形態では、バランシング電流を切り替える際に、セル電圧の測定タイミングを変更する例を説明した。これに対して、第２の実施形態では、セル電圧測定部の診断において電圧検出線間の接続状態を変更する際に、セル電圧の測定タイミングを変更する例を説明する。
【００５５】
図７は、本発明の第２の実施形態におけるセルグループ１２０と電池監視回路１００ａの間の接続回路の詳細を示した図である。本実施形態の電池システム監視装置１０ａでは、第１の実施形態で説明した電池監視回路１００に替えて、電池監視回路１００ａが各セルグループ１２０に対応して設けられている。図７に示すように、電池監視回路１００ａは、図２のセル電圧測定部６に替えてセル電圧測定部６ａを有し、さらに診断制御部８０を有している。なお、セル電圧測定部６ａの構成を分かりやすく示すため、図７では電池監視回路１００ａにおいて放電スイッチ８につながる配線の図示を一部省略している。
【００５６】
セル電圧測定部６ａは、診断回路部７０を有している。診断回路部７０は、セル電圧測定部６ａの診断に用いられるものであり、セル１１０ａ〜１１０ｆに対応してそれぞれ設けられた抵抗７１ａ〜７１ｆおよび診断スイッチ７２ａ〜７２ｆにより構成されている。診断スイッチ７２ａ〜７２ｆの切替状態は、診断制御部８０により、以下のようにして制御される。
【００５７】
電池監視回路１００ａは、バッテリコントローラ２００からの指示に応じて、セル電圧測定部６ａの診断を行う。セル電圧測定部６ａの診断を行う際に、診断制御部８０は、診断スイッチ７２ａ〜７２ｆのいずれかを短時間だけオフ状態からオン状態に切り替えるように制御することで、その診断スイッチに対応するセル１１０の両極に接続された電圧検出線２間の接続状態を切り替える。そして、当該セル１１０のセル電圧、すなわち当該セル１１０の両極に接続されている電圧検出線２間の電位差を、セル電圧測定部６ａにより測定する。このときにセル電圧測定部６ａが正しくセル電圧を測定できていれば、抵抗７１ａ〜７１ｆのいずれかでの電圧降下により、切り替えの前後でセル電圧の測定値に変化が生じる。しかし、測定対象ではないセル１１０を誤って選択するなどの理由により、セル電圧測定部６ａが正しくセル電圧を測定できていない場合は、切り替えの前後でセル電圧の測定値は変化しない。これを利用して、電池監視回路１００ａは、当該セル１１０のセル電圧測定に関するセル電圧測定部６ａの診断を行うことができる。さらに、このような診断をセルグループ１２０の全てのセル１１０ａ〜１１０ｆに対して行うことにより、電池監視回路１００ａは、セル電圧測定部６ａがセル電圧を正しく測定しているか否かを診断することができる。
【００５８】
しかし、以上説明したセル電圧測定部６ａの診断では、診断スイッチ７２ａ〜７２ｆによる電圧検出線２間の接続状態の切替時に、ＲＣフィルタ４のコンデンサに電流が流れるため、セル電圧の測定値において誤差が生じてしまう。これを避けるためには、電圧検出線２間の接続状態を切り替えてからＲＣフィルタ４の時定数に応じた過渡応答期間を経過するまでは、セル電圧の測定を行わないようにする必要があるため、診断に時間がかかってしまう。また、第１の実施形態で説明したような方法により、セル電圧の測定値を補正することも考えられるが、この場合にも前述のように、ＲＣフィルタ４の時定数にばらつきがあると、正確なセル電圧の補正値を求めるのが困難となる。
【００５９】
そこで、本実施形態の電池システム監視装置１０ａでは、セル電圧の補正誤差が大きくなる電圧検出線２間の接続状態の切替から一定時間内では、セル電圧の測定を行わないように、セル電圧の測定タイミングを変更する。具体的には、たとえば図６（ａ）で説明したのと同様に、セル電圧測定部６ａの診断時に行われるセル電圧測定を所定の遅延時間だけ遅延させる。すなわち、セル電圧測定部６ａを診断するために、診断スイッチ７２ａ〜７２ｆにより電圧検出線２間の接続状態を切り替えることでＲＣフィルタ４のコンデンサの蓄積電荷量が変化する過渡応答期間内では、セル電圧の測定タイミングを遅らせるように変更して、セル電圧の測定間隔を長くする。または、たとえば図６（ｂ）で説明したのと同様に、セル電圧測定部６ａの診断時に行われるセル電圧測定を無効化する。すなわち、セル電圧測定部６ａを診断するために、診断スイッチ７２ａ〜７２ｆにより電圧検出線２間の接続状態を切り替えることでＲＣフィルタ４のコンデンサの蓄積電荷量が変化する過渡応答期間内では、セル電圧の測定結果を無効化して、セル電圧の測定間隔を長くする。これにより、過渡応答期間において、セル電圧の補正誤差が大きくなるタイミングではセル電圧の測定が行われないようにして、補正誤差を低減することができる。さらに、こうして得られた正確なセル電圧測定値を用いることで、電池監視回路１００ａは、対応するセルグループ１２０の監視および制御を適切に行うことができる。
【００６０】
なお、セル電圧測定部６ａは、たとえば電池監視回路１００ａが有する不図示のメモリに記憶されたプログラムを実行することで、所定の測定タイミングごとにセル電圧の測定を行うことができる。以上説明したようなセル電圧の測定タイミングの変更は、このプログラム上の設定により実現できる。これ以外にも、たとえば論理回路を用いるなどの任意の方法により、セル電圧の測定タイミングを変更することができる。
【００６１】
以上説明した本発明の第２の実施形態によれば、次の作用効果を奏する。
【００６２】
（１）セル電圧測定部６ａは、第１の実施形態で説明したセル電圧測定部６と同様に、ＲＣフィルタ４のコンデンサの蓄積電荷量が変化するときに、セル電圧の測定間隔を長くする。このようにしたので、電池システム監視装置１０ａにおいて、正確なセル電圧測定値を用いた電池システム１３０の管理制御を実現できる。
【００６３】
（２）電池監視回路１００ａは、セル電圧測定部６ａを診断するために、対応するセルグループ１２０の各単電池セル１１０の両極に接続された電圧検出線２間の接続状態を切り替える診断スイッチ７２ａ〜７２ｆと、診断スイッチ７２ａ〜７２ｆを制御する診断制御部８０とを有する。セル電圧測定部６ａは、診断スイッチ７２ａ〜７２ｆにより電圧検出線２間の接続状態を切り替えることでＲＣフィルタ４のコンデンサの蓄積電荷量が変化するときに、セル電圧の測定間隔を長くする。具体的には、セル電圧測定部６ａは、たとえば図６（ａ）に示したのと同様に、ＲＣフィルタ４のコンデンサの蓄積電荷量が変化するときのセル電圧の測定タイミングを遅らせるように変更することで、セル電圧の測定間隔を長くする。また、セル電圧測定部６ａは、たとえば図６（ｂ）に示したのと同様に、ＲＣフィルタ４のコンデンサの蓄積電荷量が変化するときのセル電圧の測定結果を無効化することで、セル電圧の測定間隔を長くする。このようにしたので、一定の間隔でセル電圧の測定を行っているときに、任意のタイミングでセル電圧の測定期間を長くすることができる。
【００６４】
以上説明した実施形態や変形例はあくまで一例であり、発明の特徴が損なわれない限り、本発明はこれらの内容に限定されるものではない。
【符号の説明】
【００６５】
２  電圧検出線
３  抵抗成分
４  ＲＣフィルタ
６，６ａ  セル電圧測定部
７  バランシング制御部
８  放電スイッチ
１０，１０ａ  電池システム監視装置
７０  診断回路部
８０  診断制御部
１００，１００ａ  電池監視回路
１０２  バランシング抵抗
１１０  セル
１２０  セルグループ
１３０  電池システム
２００  バッテリコントローラ
２１０  電圧センサ
２２０  電流センサ
２３０  温度センサ
３００  モータコントローラ
３１０  正極側コンタクタ
３２０  負極側コンタクタ
３３０  平滑コンデンサ
３４０  インバータ
３５０  モータ
４００  車両コントローラ
【図１】
2019169471.tif 000003
【図２】
2019169471.tif 000004
【図３】
2019169471.tif 000005
【図４】
2019169471.tif 000006
【図５】
2019169471.tif 000007
【図６】
2019169471.tif 000008
【図７】
2019169471.tif 000009
【手続補正書】
【提出日】平成31年4月24日(2019.4.24)
【手続補正１】
【補正対象書類名】特許請求の範囲
【補正対象項目名】全文
【補正方法】変更
【補正の内容】
【特許請求の範囲】
【請求項１】
複数の単電池セルを直列接続したセルグループを複数個備えた電池システムを監視および制御するための電池システム監視装置であって、
前記セルグループごとに設けられた複数の電池監視回路を備え、
前記電池監視回路は、対応するセルグループの各単電池セルの両極に電圧検出線を介して接続され、各単電池セルのセル電圧を所定のタイミングごとに測定するセル電圧測定部を有し、
前記電圧検出線には、抵抗およびコンデンサを有するフィルタ回路が接続されており、
前記セル電圧測定部は、前記フィルタ回路のコンデンサの蓄積電荷量が変化する過渡応答期間では、前記セル電圧の測定間隔を長くして前記過渡応答期間内に前記セル電圧の測定を少なくとも１回行う電池システム監視装置。
【請求項２】
請求項１に記載の電池システム監視装置において、
前記電圧検出線および前記フィルタ回路と電気的に接続され、前記電池監視回路に対応するセルグループの各単電池セルを放電させるためのバランシング抵抗をさらに備え、
前記電池監視回路は、対応するセルグループの各単電池セルから前記バランシング抵抗を介して流れる放電電流の状態を切り替える放電スイッチと、前記放電スイッチを制御するバランシング制御部と、を有し、
前記セル電圧測定部は、前記放電スイッチにより前記放電電流の状態を切り替えることで前記フィルタ回路のコンデンサの蓄積電荷量が変化するときに、前記セル電圧の測定間隔を長くする電池システム監視装置。
【請求項３】
請求項１に記載の電池システム監視装置において、
前記電池監視回路は、前記セル電圧測定部を診断するために、対応するセルグループの各単電池セルの両極に接続された前記電圧検出線間の接続状態を切り替える診断スイッチと、前記診断スイッチを制御する診断制御部と、を有し、
前記セル電圧測定部は、前記診断スイッチにより前記電圧検出線間の接続状態を切り替えることで前記フィルタ回路のコンデンサの蓄積電荷量が変化するときに、前記セル電圧の測定間隔を長くする電池システム監視装置。
【請求項４】
請求項１乃至３のいずれか一項に記載の電池システム監視装置において、
前記セル電圧測定部は、前記過渡応答期間内の最初の前記セル電圧の測定タイミングを前記過渡応答期間内で遅らせるように変更することで、前記セル電圧の測定間隔を長くする電池システム監視装置。
【請求項５】
請求項１乃至３のいずれか一項に記載の電池システム監視装置において、
前記セル電圧測定部は、前記過渡応答期間内の最初の前記セル電圧の測定結果を無効化し、前記過渡応答期間内の２回目以降の前記セル電圧の測定結果を有効とすることで、前記セル電圧の測定間隔を長くする電池システム監視装置。
【請求項６】
請求項２に記載の電池システム監視装置において、
前記バランシング制御部は、前記セル電圧測定部が前記セル電圧を測定した後に前記放電電流の状態が切り替えられるように、前記放電スイッチを制御する電池システム監視装置。
【請求項７】
請求項４に記載の電池システム監視装置において、
前記セル電圧測定部は、前記セル電圧の測定タイミングを遅らせた後、前記セル電圧の測定間隔が元の測定間隔となるまで、前記セル電圧の測定タイミングを段階的に早める電池システム監視装置。
【手続補正２】
【補正対象書類名】明細書
【補正対象項目名】０００６
【補正方法】変更
【補正の内容】
【０００６】
本発明による電池システム監視装置は、複数の単電池セルを直列接続したセルグループを複数個備えた電池システムを監視および制御するためのものであって、前記セルグループごとに設けられた複数の電池監視回路を備え、前記電池監視回路は、対応するセルグループの各単電池セルの両極に電圧検出線を介して接続され、各単電池セルのセル電圧を所定のタイミングごとに測定するセル電圧測定部を有し、前記電圧検出線には、抵抗およびコンデンサを有するフィルタ回路が接続されており、前記セル電圧測定部は、前記フィルタ回路のコンデンサの蓄積電荷量が変化する過渡応答期間では、前記セル電圧の測定間隔を長くして前記過渡応答期間内に前記セル電圧の測定を少なくとも１回行うものである。